(57)【要約】【課題】被装着側の端末のデザイン性を損なうことなく外装部品の着脱を検出可能な外装部品の装着構造、及びこれを用いた携帯端末並びに携帯端末カスタマイズシステムを提供する。【解決手段】携帯電話端末に着脱式カバーが装着されたことを検出するための構造であって、携帯電話端末と着脱式カバーとは、携帯電話端末に設けた凹形状の接続部と着脱式カバーに設けた凸形状の接続部とを嵌合させることにより結合され、携帯電話端末の接続部の底面には押しボタン型スイッチ１３が設けられ、着脱式カバー側の接続部は、着脱式カバーを携帯電話端末に装着した際に凹形状の接続部と嵌合し、押しボタン型スイッチ１３を押下する。【選択図】図１
2008085806.tif 000002
【特許請求の範囲】
【請求項１】
携帯端末に外装部品が装着されたことを検出するための構造であって、
前記携帯端末と前記外装部品とは、前記携帯端末に設けた凹部と前記外装部品に設けた凸部とを嵌合させることにより結合され、
前記凹部の底面には接触スイッチが設けられ、
前記凸部は、前記外装部品を前記携帯端末に装着した際に前記凹部と嵌合し、前記接触スイッチを押下する形状であることを特徴とする外装部品の装着構造。
【請求項２】
少なくとも一つの第１の凸部と第２の凸部とを備え、前記第１の凸部の各々は第１形状又は第２形状のいずれかであり、各第１の凸部がいずれの形状であるかは種類に応じて異なる外装部品が着脱される携帯端末であって、
前記第１形状の前記第１の凸部が嵌合した際に押下される第１の接触スイッチが底面に設けられた少なくとも一つの第１の凹部と、
前記第２の凸部と嵌合した際に押下される第２の接触スイッチが底面に設けられた第１の凹部と、
前記第２の接触スイッチの押下状態に基づいて外装部品の装着を検出する手段と、
前記各第１の接触スイッチの押下状態の組合せに基づいて、どの外装部品が装着されたかを検出する手段とを有することを特徴とする携帯端末。
【請求項３】
装着された外装部品の種類に応じて、ＧＵＩのデザインを変更する手段をさらに有することを特徴とする請求項２記載の携帯端末。
【請求項４】
前記ＧＵＩのデザインの種類を示す情報と数値とが関連づけられたＧＵＩ設定テーブルと、前記各第１のスイッチの押下状態の組合せを２進数にデコードする手段と、デコードした値を前記ＧＵＩ設定テーブルで参照することにより変更後のＧＵＩのデザインを特定する手段とを有することを特徴とする請求項３記載の携帯端末。
【請求項５】
前記ＧＵＩのデザインの種類を示す情報と数値とが関連づけられたＧＵＩ設定テーブルと、デコードによって取りうる値と任意の数値と対応付けた変換テーブルと、前記各第１のスイッチの押下状態の組合せを２進数にデコードする手段と、前記デコードした値を前記変換テーブルで参照することによって値を変換する手段と、変換後の値を前記ＧＵＩ設定テーブルで参照することにより変更後のＧＵＩのデザインを特定する手段とを有することを特徴とする請求項３記載の携帯端末。
【請求項６】
任意の外装部品が装着された後でユーザの操作によってＧＵＩのデザインが変更された場合に、前記ＧＵＩ設定テーブルにおいて変更後のＧＵＩのデザインを示す情報に対応する数値を、装着された外装部品のデコード値に対応する前記変換テーブルのレコードとして書き込む手段を有することを特徴とする請求項５記載の携帯端末。
【請求項７】
通信機能を備え、装着された外装部品の種類に応じて、通信機能の設定を変更する手段を有することを特徴とする請求項２記載の携帯端末。
【請求項８】
前通信機能の設定の種類を示す情報と数値とが関連づけられた通信設定テーブルと、前記各第１のスイッチの押下状態の組合せを２進数にデコードする手段と、デコードした値を前記通信設定テーブルで参照することにより変更後の通信機能の設定を特定する手段とを有することを特徴とする請求項７記載の携帯端末。
【請求項９】
直前に装着されていた外装部品の種類を表す情報を格納する手段と、
新たに外装部品が装着された際には、直前に装着されていた外装部品と同じであるか否かを判断する手段と、
異なる外装部品が装着された場合にのみ、前記通信機能の設定を変更する手段とを有することを特徴とする請求項８記載の携帯端末。
【請求項１０】
少なくとも一つの第１の凸部と第２の凸部とを備え、前記第１の凸部の各々は第１形状又は第２形状のいずれかである外装部品が着脱される携帯端末であって、
前記第１形状の前記第１の凸部が嵌合した際に押下される第１の接触スイッチが底面に設けられた少なくとも一つの第１の凹部と、
前記第２の凸部と嵌合した際に押下される第２の接触スイッチが底面に設けられた第１の凹部と、
前記第２の接触スイッチの押下状態に基づいて、外装部品の装着を検出する手段と、
前記各第１の接触スイッチの押下状態の組合せに基づいて、ＧＵＩのデザインを変更する手段とを有することを特徴とする携帯端末。
【請求項１１】
前記ＧＵＩのデザインの種類を示す情報と数値とが関連づけられたＧＵＩ設定テーブルと、前記各第１のスイッチの押下状態の組合せを２進数にデコードする手段と、デコードした値を前記ＧＵＩ設定テーブルで参照することにより変更後のＧＵＩのデザインを特定する手段とを有することを特徴とする請求項１０記載の携帯端末。
【請求項１２】
前記ＧＵＩのデザインの種類を示す情報と数値とが関連づけられたＧＵＩ設定テーブルと、デコードによって取りうる値と任意の数値と対応付けた変換テーブルと、前記各第１のスイッチの押下状態の組合せを２進数にデコードする手段と、前記デコードした値を前記変換テーブルで参照することによって値を変換する手段と、変換後の値を前記ＧＵＩ設定テーブルで参照することにより変更後のＧＵＩのデザインを特定する手段とを有することを特徴とする請求項１０記載の携帯端末。
【請求項１３】
２種類以上の外装部品の少なくともいずれかと、これが着脱される携帯端末とからなる携帯端末カスタマイズシステムであって、
前記携帯端末は、
底面に第１の接触スイッチが設けられた第１の凹部を少なくとも一つと、
底面に第２の接触スイッチが設けられた第２の凹部とを有し、
前記外装部品は、
前記第１の凹部と嵌合する第１の凸部と、前記第２の凹部と嵌合する第２の凸部とを有し、前記第１の凸部の各々は、前記第１の凹部と嵌合した際に前記第１の接触スイッチを押下する第１形状又は押下しない第２形状のいずれかで、それぞれがいずれの形状であるかは外装部品の種類に応じて定められており、
前記第２の凸部は、前記第２の凹部と嵌合した際に前記第２の接触スイッチを押下する形状であり、
前記外装部品を前記携帯端末に装着した際に前記第１の接触スイッチが押下されることにより、前記携帯端末が前記外装部品の装着を検出し、
前記各第２の接触スイッチの押下状態の組合せに基づいて、装着された外装部品の種類を前記携帯端末が特定することを特徴とする携帯端末カスタマイズシステム。
【請求項１４】
前記携帯端末は、装着された外装部品の種類に応じて、ＧＵＩのデザインを変更することを特徴とする請求項１３記載の携帯端末カスタマイズシステム。
【請求項１５】
前記携帯端末は、前記ＧＵＩのデザインの種類を示す情報と数値とが関連づけられたＧＵＩ設定テーブルを有し、前記各第１のスイッチの押下状態の組合せを２進数にデコードし、デコードした値を前記ＧＵＩ設定テーブルで参照することにより変更後のＧＵＩのデザインを特定することを特徴とする請求項１４記載の携帯端末カスタマイズシステム。
【請求項１６】
前記携帯端末は、前記ＧＵＩのデザインの種類を示す情報と数値とが関連づけられたＧＵＩ設定テーブルと、デコードによって取りうる値と任意の数値と対応付けた変換テーブルを有し、前記各第１のスイッチの押下状態の組合せを２進数にデコードし前記デコードした値を前記変換テーブルで参照することによって値を変換し、変換後の値を前記ＧＵＩ設定テーブルで参照することにより変更後のＧＵＩのデザインを特定することを特徴とする請求項１４記載の携帯端末カスタマイズシステム。
【請求項１７】
前記携帯端末は、通信機能を備え、装着された外装部品の種類に応じて前記通信機能の設定を変更することを特徴とする請求項１３記載の携帯端末カスタマイズシステム。
【請求項１８】
前記携帯端末は、前通信機能の設定の種類を示す情報と数値とが関連づけられた通信設定テーブルを有し、前記各第１のスイッチの押下状態の組合せを２進数にデコードし、デコードした値を前記通信設定テーブルで参照することにより変更後の通信機能の設定を特定することを特徴とする請求項１７記載の携帯端末カスタマイズシステム。
【請求項１９】
前記携帯端末は、直前に装着されていた外装部品の種類を表す情報を格納する手段を有し、
外装部品が装着された際には、直前に装着されていた外装部品と同じ種類のものであるか否かを判断し、
異なる外装部品が装着された場合にのみ、前記通信機能の設定を変更することを特徴とする請求項１８記載の携帯端末カスタマイズシステム。
【請求項２０】
２種類以上の外装部品の少なくともいずれかと、これが着脱される携帯端末とからなる携帯端末カスタマイズシステムであって、
前記携帯端末は、
底面に第１の接触スイッチが設けられた第１の凹部を少なくとも一つと、
底面に第２の接触スイッチが設けられた第２の凹部とを有し、
前記外装部品は、
前記第１の凹部と嵌合する第１の凸部と、前記第２の凹部と嵌合する第２の凸部とを有し、前記第１の凸部の各々は、前記第１の凹部と嵌合した際に前記第１の接触スイッチを押下する第１形状又は押下しない第２形状のいずれかであり、
前記第２の凸部は、前記第２の凹部と嵌合した際に前記第２の接触スイッチを押下する形状であり、
前記外装部品を前記携帯端末に装着した際に前記第１の接触スイッチが押下されることにより、前記携帯端末が前記外装部品の装着を検出し、
前記各第２の接触スイッチの押下状態の組合せに基づいて、ＧＵＩのデザインを変更することを特徴とする携帯端末カスタマイズシステム。
【請求項２１】
前記携帯端末は、前記ＧＵＩのデザインの種類を示す情報と数値とが関連づけられたＧＵＩ設定テーブルを有し、前記各第１のスイッチの押下状態の組合せを２進数にデコードし、デコードした値を前記ＧＵＩ設定テーブルで参照することにより変更後のＧＵＩのデザインを特定することを特徴とする請求項２０記載の携帯端末カスタマイズシステム。
【請求項２２】
前記携帯端末は、前記ＧＵＩのデザインの種類を示す情報と数値とが関連づけられたＧＵＩ設定テーブルと、デコードによって取りうる値と任意の数値と対応付けた変換テーブルを有し、前記各第１のスイッチの押下状態の組合せを２進数にデコードし前記デコードした値を前記変換テーブルで参照することによって値を変換し、変換後の値を前記ＧＵＩ設定テーブルで参照することにより変更後のＧＵＩのデザインを特定することを特徴とする請求項２０記載の携帯端末カスタマイズシステム。
【発明の詳細な説明】
【技術分野】
【０００１】
本発明は、外装部品の装着構造、外装部品の付け替えが可能ないわゆる“着せ替え型”の携帯通信端末及びこれを用いた携帯端末カスタマイズシステムに関する。
【背景技術】
【０００２】
近年、携帯通信端末（携帯電話、ＰＨＳ）の中には筐体にカバーを装着できるものも流通している。このような携帯通信端末は、カバーの付け替えによって同一機種でも他のユーザの端末との差別化を図れるため、デザイン性や多様性の面で人気を博している。
【０００３】
また、携帯通信端末のソフトウェアは、ユーザの嗜好に合わせてＧＵＩを変更できるものが一般的であるが、一つのテーマに沿って画面の色だけでなくアイコンのデザインまでも一括して変更できるものもある。以下、画面の色やアイコンのデザインを含むＧＵＩの全体的なデザインを「カラーテーマ」と称する。
【０００４】
さらに、装着されるカバーに合わせたカラーテーマを用意している携帯通信端末製造メーカも存在し、より高いデザイン性で他社との差別化を図っている。
【０００５】
しかし、ユーザはカバーを付け替えるたびに所望のカラーテーマに変更する操作を行わなければならない。
【０００６】
カバーに合わせたカラーテーマに変更する操作を簡略化する方法として、カバーのパッケージに表示されている二次元コードを携帯通信端末に読み取らせる方法がある。
しかし、この方法でも、カバーを付け替えるたびに二次元コードを読み取る操作を行わなければならない。さらに、ユーザは、二次元コードが表示されているパッケージを紛失しないように保管しておかねばならない。
【０００７】
このような問題に関する従来技術として特許文献１に開示される「携帯端末装置およびパネル」や、特許文献２に開示される「携帯電話機、携帯電話機の背面パネル装着方法及びフェースプレート装着方法」がある。
【特許文献１】特開２００４−２２１８６０号公報
【特許文献２】特開２００４−１７２６５４号公報
【発明の開示】
【発明が解決しようとする課題】
【０００８】
特許文献１には、着脱式カバー裏側の特定の位置に突起を新たに設けることで、装着されたカバーの種類を識別する方法が開示されている。しかし、この方法では、新たに突起を設ける必要があることに加え、携帯型通信端末側の筐体表面に露出配置されたボタンスイッチがデザイン性を損なわせることとなる。
【０００９】
特許文献２に記載の発明は、付加機能を備えた背面パネルを携帯電話機に装着することで、携帯電話機で付加機能を使用できるようにするものである。しかし、特許文献２に開示される発明は、携帯電話機本体側と背面パネルとの電気的な接続のために、携帯電話機本体側には電源端子や検出端子を露出させておかねばならない。よって、特許文献１と同様に、携帯電話機の表面に露出配置された電源端子や検出端子がデザイン性を損なわせることとなる。
【００１０】
このように、従来は、被装着側の端末のデザイン性を損なうことなく、着脱を検出可能な装飾部品、これを用いた携帯端末は提供されていなかった。
【００１１】
本発明はかかる問題に鑑みてなされたものであり、被装着側の端末のデザイン性を損なうことなく外装部品の着脱を検出可能な外装部品の装着構造、及びこれを用いた携帯端末並びに携帯端末カスタマイズシステムを提供することを目的とする。
【課題を解決するための手段】
【００１２】
上記目的を達成するため、本発明は、第１の態様として、携帯端末に外装部品が装着されたことを検出するための構造であって、携帯端末と外装部品とは、携帯端末に設けた凹部と外装部品に設けた凸部とを嵌合させることにより結合され、凹部の底面には接触スイッチが設けられ、凸部は、外装部品を携帯端末に装着した際に凹部と嵌合し、接触スイッチを押下する形状であることを特徴とする外装部品の装着構造を提供するものである。
【００１３】
また、上記目的を達成するため、本発明は、第２の態様として、少なくとも一つの第１の凸部と第２の凸部とを備え、第１の凸部の各々は第１形状又は第２形状のいずれかであり、各第１の凸部がいずれの形状であるかは種類に応じて異なる外装部品が着脱される携帯端末であって、第１形状の第１の凸部が嵌合した際に押下される第１の接触スイッチが底面に設けられた少なくとも一つの第１の凹部と、第２の凸部と嵌合した際に押下される第２の接触スイッチが底面に設けられた第１の凹部と、第２の接触スイッチの押下状態に基づいて外装部品の装着を検出する手段と、各第１の接触スイッチの押下状態の組合せに基づいて、どの外装部品が装着されたかを検出する手段とを有することを特徴とする携帯端末を提供するものである。
【００１４】
本発明の第２の態様においては、装着された外装部品の種類に応じて、ＧＵＩのデザインを変更する手段をさらに有することが好ましい。これに加えて、ＧＵＩのデザインの種類を示す情報と数値とが関連づけられたＧＵＩ設定テーブルと、各第１のスイッチの押下状態の組合せを２進数にデコードする手段と、デコードした値をＧＵＩ設定テーブルで参照することにより変更後のＧＵＩのデザインを特定する手段とを有することがより好ましい。又は、加えて、ＧＵＩのデザインの種類を示す情報と数値とが関連づけられたＧＵＩ設定テーブルと、デコードによって取りうる値と任意の数値と対応付けた変換テーブルと、各第１のスイッチの押下状態の組合せを２進数にデコードする手段と、デコードした値を変換テーブルで参照することによって値を変換する手段と、変換後の値をＧＵＩ設定テーブルで参照することにより変更後のＧＵＩのデザインを特定する手段とを有することがより好ましく、さらに加えて、任意の外装部品が装着された後でユーザの操作によってＧＵＩのデザインが変更された場合に、ＧＵＩ設定テーブルにおいて変更後のＧＵＩのデザインを示す情報に対応する数値を、装着された外装部品のデコード値に対応する変換テーブルのレコードとして書き込む手段を有することがより好ましい。
【００１５】
または、本発明の第２の態様においては、通信機能を備え、装着された外装部品の種類に応じて、通信機能の設定を変更する手段を有することが好ましく、これに加えて、通信機能の設定の種類を示す情報と数値とが関連づけられた通信設定テーブルと、各第１のスイッチの押下状態の組合せを２進数にデコードする手段と、デコードした値を通信設定テーブルで参照することにより変更後の通信機能の設定を特定する手段とを有することがより好ましく、さらに加えて、直前に装着されていた外装部品の種類を表す情報を格納する手段と、新たに外装部品が装着された際には、直前に装着されていた外装部品と同じであるか否かを判断する手段と、異なる外装部品が装着された場合にのみ、通信機能の設定を変更する手段とを有することがより好ましい。
【００１６】
また、上記目的を達成するため、本発明は、第３の態様として、少なくとも一つの第１の凸部と第２の凸部とを備え、第１の凸部の各々は第１形状又は第２形状のいずれかである外装部品が着脱される携帯端末であって、第１形状の第１の凸部が嵌合した際に押下される第１の接触スイッチが底面に設けられた少なくとも一つの第１の凹部と、第２の凸部と嵌合した際に押下される第２の接触スイッチが底面に設けられた第１の凹部と、第２の接触スイッチの押下状態に基づいて、外装部品の装着を検出する手段と、各第１の接触スイッチの押下状態の組合せに基づいて、ＧＵＩのデザインを変更する手段とを有することを特徴とする携帯端末を提供するものである。
【００１７】
本発明の第２の態様においては、ＧＵＩのデザインの種類を示す情報と数値とが関連づけられたＧＵＩ設定テーブルと、各第１のスイッチの押下状態の組合せを２進数にデコードする手段と、デコードした値をＧＵＩ設定テーブルで参照することにより変更後のＧＵＩのデザインを特定する手段とを有することが好ましい。これに加えて、ＧＵＩのデザインの種類を示す情報と数値とが関連づけられたＧＵＩ設定テーブルと、デコードによって取りうる値と任意の数値と対応付けた変換テーブルと、各第１のスイッチの押下状態の組合せを２進数にデコードする手段と、デコードした値を変換テーブルで参照することによって値を変換する手段と、変換後の値をＧＵＩ設定テーブルで参照することにより変更後のＧＵＩのデザインを特定する手段とを有することがより好ましい。
【００１８】
また、上記目的を達成するため、本発明は、第４の態様として、２種類以上の外装部品の少なくともいずれかと、これが着脱される携帯端末とからなる携帯端末カスタマイズシステムであって、携帯端末は、底面に第１の接触スイッチが設けられた第１の凹部を少なくとも一つと、底面に第２の接触スイッチが設けられた第２の凹部とを有し、外装部品は、第１の凹部と嵌合する第１の凸部と、第２の凹部と嵌合する第２の凸部とを有し、第１の凸部の各々は、第１の凹部と嵌合した際に第１の接触スイッチを押下する第１形状又は押下しない第２形状のいずれかで、それぞれがいずれの形状であるかは外装部品の種類に応じて定められており、第２の凸部は、第２の凹部と嵌合した際に第２の接触スイッチを押下する形状であり、外装部品を携帯端末に装着した際に第１の接触スイッチが押下されることにより、携帯端末が外装部品の装着を検出し、各第２の接触スイッチの押下状態の組合せに基づいて、装着された外装部品の種類を携帯端末が特定することを特徴とする携帯端末カスタマイズシステムを提供するものである。
【００１９】
本発明の第４の態様においては、携帯端末は、装着された外装部品の種類に応じて、ＧＵＩのデザインを変更することが好ましい。これに加えて、携帯端末は、ＧＵＩのデザインの種類を示す情報と数値とが関連づけられたＧＵＩ設定テーブルを有し、各第１のスイッチの押下状態の組合せを２進数にデコードし、デコードした値をＧＵＩ設定テーブルで参照することにより変更後のＧＵＩのデザインを特定することがより好ましい。又は、上記に加えて、携帯端末は、ＧＵＩのデザインの種類を示す情報と数値とが関連づけられたＧＵＩ設定テーブルと、デコードによって取りうる値と任意の数値と対応付けた変換テーブルを有し、各第１のスイッチの押下状態の組合せを２進数にデコードしデコードした値を変換テーブルで参照することによって値を変換し、変換後の値をＧＵＩ設定テーブルで参照することにより変更後のＧＵＩのデザインを特定することがより好ましい。
【００２０】
又は、本発明の第４の態様においては、携帯端末は、通信機能を備え、装着された外装部品の種類に応じて通信機能の設定を変更することが好ましく、これに加えて、携帯端末は、前通信機能の設定の種類を示す情報と数値とが関連づけられた通信設定テーブルを有し、各第１のスイッチの押下状態の組合せを２進数にデコードし、デコードした値を通信設定テーブルで参照することにより変更後の通信機能の設定を特定することがより好ましく、これに加えて、携帯端末は、直前に装着されていた外装部品の種類を表す情報を格納する手段を有し、外装部品が装着された際には、直前に装着されていた外装部品と同じ種類のものであるか否かを判断し、異なる外装部品が装着された場合にのみ、通信機能の設定を変更することがより好ましい。
【００２１】
また、上記目的を達成するため、本発明は第５の態様として、２種類以上の外装部品の少なくともいずれかと、これが着脱される携帯端末とからなる携帯端末カスタマイズシステムであって、携帯端末は、底面に第１の接触スイッチが設けられた第１の凹部を少なくとも一つと、底面に第２の接触スイッチが設けられた第２の凹部とを有し、外装部品は、第１の凹部と嵌合する第１の凸部と、第２の凹部と嵌合する第２の凸部とを有し、第１の凸部の各々は、第１の凹部と嵌合した際に第１の接触スイッチを押下する第１形状又は押下しない第２形状のいずれかであり、第２の凸部は、第２の凹部と嵌合した際に第２の接触スイッチを押下する形状であり、外装部品を携帯端末に装着した際に第１の接触スイッチが押下されることにより、携帯端末が外装部品の装着を検出し、各第２の接触スイッチの押下状態の組合せに基づいて、ＧＵＩのデザインを変更することを特徴とする携帯端末カスタマイズシステムを提供するものである。
【００２２】
本発明の第５の態様においては、携帯端末は、ＧＵＩのデザインの種類を示す情報と数値とが関連づけられたＧＵＩ設定テーブルを有し、各第１のスイッチの押下状態の組合せを２進数にデコードし、デコードした値をＧＵＩ設定テーブルで参照することにより変更後のＧＵＩのデザインを特定することに加え、携帯端末は、ＧＵＩのデザインの種類を示す情報と数値とが関連づけられたＧＵＩ設定テーブルと、デコードによって取りうる値と任意の数値と対応付けた変換テーブルを有し、各第１のスイッチの押下状態の組合せを２進数にデコードしデコードした値を変換テーブルで参照することによって値を変換し、変換後の値をＧＵＩ設定テーブルで参照することにより変更後のＧＵＩのデザインを特定することがより好ましい。
【００２３】
〔作用〕
本発明は、被装着側の携帯端末のデザイン性を損なうことなく着脱式カバーの装着を検出可能な構成を実現するものである。
また、上記構成を用いることにより、携帯端末のデザイン性を損なうことなく、着脱式カバーを携帯端末に取り付けた際に携帯端末内に保存されているカラーテーマの中から所望のカラーテーマが自動的に選択し、適用できる。
なお、着脱式カバーのバリエーションに応じたカラーテーマに対応し、携帯端末製造メーカによる純正の着脱式カバーのみならず、サードパーティから供給される着脱式カバーにも対応可能である。
上記構造は、着脱式カバー側には電機部品を搭載する必要がなく、携帯端末側の部品構成も単純である。
【発明の効果】
【００２４】
本発明によれば、被装着側の端末のデザイン性を損なうことなく外装部品の着脱を検出可能な外装部品の装着構造、及びこれを用いた携帯端末並びに携帯端末カスタマイズシステムを提供できる。
【発明を実施するための最良の形態】
【００２５】
〔第１の実施形態〕
本発明を好適に実施した第１の実施形態について説明する。
図１に、本実施形態にかかる携帯電話端末の構成を示す。本実施形態にかかる携帯電話端末は、アンテナ１、無線部２、ＲＡＭ４、ＲＯＭ５、制御部６、表示駆動部７、表示部８、キー入力部９、スピーカ１０、マイク１１及び着脱式カバー検出部１２を有する。
アンテナ１は無線信号の受信及び送出のために用いられる。無線部２は、受信した無線信号の復調及び送信する無線信号の変調を行う。ＲＡＭ４は、データを一時的に保持するために用いられる。ＲＯＭ５は、携帯電話端末の各種設定情報、携帯電話端末のプログラムを格納している。制御部６は、各部を制御するマイクロコンピュータを備えたＣＰＵである。表示駆動部７は、表示部８を駆動して情報の表示を行わせる。表示部８は、電話番号や各種設定情報といった情報を表示する装置、例えばＬＣＤである。キー入力部９は、ユーザによるキー入力を受け付けるユーザインタフェースである。スピーカ１０は、電気信号を音声に変換して出力する装置である。マイク１１は、音声を電気信号に変換して取り込むための装置である。着脱式カバー検出部１２は、筐体に着脱式カバーが装着されたことを検出するセンサである。
【００２６】
図２に、携帯電話端末、着脱式カバー及び着脱式カバーが装着された携帯電話端末の外観の一例を示す。（ａ）は、着脱式カバーが装着されていない状態の携帯電話端末を示す。（ｂ）は、着脱式カバーを示す。（ｃ）は、着脱式カバーを携帯電話端末へ装着した状態を示す。（ｃ）に示すように、着脱式カバーを装着することにより、携帯電話端末の外観が大きく変化する。
【００２７】
図３に着脱式カバー側の接続部の構成を示す。
着脱式カバーの裏側には、周縁部にはＡ１〜Ａ６及びＢの七つの接続部が形成されている。着脱式カバーの各接続部は凸形状である。一方、図４に示すように、携帯電話端末側には、着脱式カバーの各接続部と対応する位置に接続部ａ１〜ａ６、ｂが形成されている。携帯電話端末の各接続部は凹形状である。着脱式カバー及び携帯電話端末の各接続部は嵌合可能な形状であり、これらを嵌合させることによって着脱式カバーが携帯電話端末に固定される。
【００２８】
着脱式カバーの接続部には、図５に示すように二段の凸形状のものと、図６に示すように単段の凸形状のものとの２種類がある。
【００２９】
図５に、二段の凸形状の着脱式カバーの接続部と携帯電話端末の接続部とを拡大して示す。着脱式カバーの凸形状の接続部Ａ１〜Ａ６及びＢを携帯電話端末の凹形状の接続部ａ１〜ａ６及びｂに嵌め合わせる構造となっている。携帯電話端末の接続部ａ１〜ａ６及びｂには押しボタン型スイッチ１３が形成されている。押しボタン型スイッチ１３は、携帯電話端末の基板上に配置されている。押しボタン型スイッチ１３は、着脱式カバーが装着されていない状態では、接点は閉じておらず、着脱式カバー検出部１２にはＨｉｇｈレベルの電圧（Ｖｄｄ）が入力される。
図７に、着脱式カバーを携帯電話端末に装着した状態を示す。着脱式カバーの接続部Ａ１〜Ａ６及びＢの先端部分が押しボタン型スイッチ１３を押すことにより、スイッチがＯＮ状態となっている。この状態では、接点が閉じているため、着脱式カバー検出部１２にはＬｏｗレベルの電圧（ＧＮＤ）が入力される。
【００３０】
また、図８に、単段の凸状の着脱式カバーの接続部と携帯電話端末の接続部とを拡大して示す。着脱式カバーの凸形状の接続部を携帯電話端末の凹形状の接続部に嵌め合わせる構造であることは上記同様であるが、図８に示すように、単段の凸形状の場合は携帯電話端末の接続部ａ１〜ａ６及びｂと嵌合させても押しボタン型スイッチ１３を押すことはなく、着脱式カバー検出部１２にはＨｉｇｈレベルの電圧が入力されたままとなる。
【００３１】
着脱式カバー及び携帯電話端末の接続部の７対のうち一対（Ｂ及びｂ）は、着脱式カバーの取り付け及び取り外しの検出用として図５に示す構造とする。残りの６対（Ａ１〜Ａ６及びａ１〜ａ６）を着脱式カバーの区別のために用いるとすれば、着脱式カバーの接続部Ａ１〜Ａ６及びＢが二種類の形状を持つことにより、着脱式カバーのバリエーションとしては２6＝６４種類を区別できることとなる。
【００３２】
図９に、接続部ａ１〜ａ６及びｂと制御部６との電気的な接続を示す。各接続部ａ１〜ａ６及びｂの押しボタン型スイッチ１３のＯＮ／ＯＦＦ情報は、着脱式カバー検出部１２へ入力される。着脱式カバー検出部１２は、接続部ａ１〜ａ６の押しボタン型スイッチ１３のＯＮ／ＯＦＦ情報を６桁の２進数に置き換え、置き換えた２進数を１０進数に変換した値を“デコード値”として制御部６へ出力する。一方、接続部ｂの押しボタン型スイッチ１３のＯＮ／ＯＦＦ情報は、そのまま制御部６へ出力する。
【００３３】
制御部６は、着脱式カバー検出部１２からの出力を基に、６４種類のうちのどのカバーが装着されたのかを判断できる。よって、判断結果に応じたカラーテーマをＲＯＭ５から読み出し、自端末に設定できる。ここでいう「カラーテーマ」とは、ＵＩ部分の色を変えるだけでなく、ＴＯＰメニューの画像部分や待ち受け画像、待ち受け画面上のアイコン、通話時やメール送受信時に使われる画像なども含む広義なものである。
【００３４】
一般的には、着脱式カバー及びカラーテーマの数は数種類であるが、本実施形態にかかかる携帯電話端末は、数十の着脱式カバーのバリエーションに対してその数だけ、対応したカラーテーマを呼び出せる。
そのため、メーカが携帯電話端末の販売当初に数種類の着脱式カバーを用意しておき、その後着脱式カバーが追加発売され種類が増加する販売モデルが考えられる。
【００３５】
このようなケースでは、図１０に示すようなカラーテーマリストを制御部６が管理すればよい。Ｎｏ．１からＮｏ．５に既に登録されているカラーテーマは、端末販売当初から発売されている着脱式カバーに対応したカラーテーマである。なお、カラーテーマが“Ｅｍｐｔｙ”となっている番号は、対応するカラーテーマが登録されていないことを示す。
【００３６】
追加発売された着脱式カバーを購入したユーザは、着脱式カバーのパッケージに表示されているＵＲＬにアクセスすることにより、その着脱カバー専用のカラーテーマをダウンロードして端末に保存できる。制御部６は、保存したカラーテーマを反映させてカラーテーマリストを更新する。例えば、ユーザがＮｏ．２６に対応させてカラーテーマを保存したとすると、リストのＮｏ．２６の部分は“Ｅｍｐｔｙ”から“Ｉｃｅ  Ｇｒａｙ”のようにテーマ名と置き換わる。
【００３７】
このリストは、一部を（例えば、Ｎｏ．１からＮｏ．３２までの３２個分を）端末メーカが供給する着脱式カバー用のカラーテーマとしてリザーブしておけるものとし、残りを（この例では、Ｎｏ．３３からＮｏ．６４までを）、サードパーティが販売する着脱式カバー用のカラーテーマに開放するようにしてもよい。換言すると、リストの一部は所定のカラーテーマのみしか保存できないようにし、一部は任意のカラーテーマを保存できるようにすると良い。このようにすることによって、携帯電話端末のユーザにより多くのカラーテーマを提供することが可能となる。
この場合には、サードパーティ分として開放した番号については、保存の際に番号が重複するとカラーテーマが上書き保存されてしまうが、上書き前に保存されていたカラーテーマが必要な場合には、そのカラーテーマを再ダウンロードすればよい。
【００３８】
本実施形態にかかる携帯電話端末の制御部６によるカラーテーマ自動変更動作の流れについて説明する。
図１１に、カラーテーマ変更の処理の流れを示す。
処理を開始した後、制御部６は携帯電話端末に着脱式カバーが装着されたか否かを監視する（ステップＳ１０１）。カバーの装着は、着脱式カバーの接続部（凸）が携帯電話端末の接続部（凹）にはめ込まれ、端子Ｂの押しボタンスイッチ１３がＯＮされ、着脱式カバー検出部１２に“Ｌ”信号が入力されることによって検出される。
制御部６が着脱式カバー取り付けを検出していない場合は（ステップＳ１０１／Ｎｏ）、引き続き着脱式カバーの装着を監視する。
制御部６が着脱式カバーの装着を検出すると（ステップＳ１０１／Ｙｅｓ）、着脱式カバー検出部１２は、各接続部の端子Ａ１〜Ａ６における入力端子情報を取り込み（ステップＳ１０２）、そのデコード結果を制御部６へ出力する（ステップＳ１０３）。例えば、接続部Ａ１が“Ｌ”、Ａ２が“Ｈ”，Ａ３が“Ｈ”、Ａ４が“Ｌ”、Ａ５が“Ｌ”、Ａ６が“Ｌ”とすると、Ａ６をＭＬＢ側にＡ１をＭＳＢ側として出力結果を２進数に置き換えて“０００１１０”、すなわち１０進数での“６”を出力する。
【００３９】
その後、制御部６は、着脱式カバー検出部１２から入力された出力値に基づいて、その出力値に対応するカラーテーマが登録リストに登録されているか否かを確認する（ステップＳ１０４）。具体的には、着脱式カバー検出部１２から入力された値が“６”であったなら、リストの６番目を検索し、カラーテーマの登録があるか否かを確認する。
【００４０】
カラーテーマの登録があるのであれば（ステップＳ１０４／Ｙｅｓ）、制御部６は該当するカラーテーマを呼び出して、その設定を実施する（ステップＳ１０５）。カラーテーマの登録が無ければ（ステップＳ１０４／Ｎｏ）、デフォルト（１番）のカラーテーマを呼び出して設定する（ステップＳ１０６）。
【００４１】
カラーテーマの設定が完了したら、制御部６は、着脱式カバーの取り外しを監視する（ステップＳ１０７）。取り外しの検出は、ステップＳ１０１と同様に、端子Ｂの信号レベルの変化を検出することによって行う。ただし、ここでは“Ｌ”から“Ｈ”への変化を検出した際に、着脱式カバーが取り外されたと判断する。
制御部６は、着脱式カバーが取り外されたことを検出すると（ステップＳ１０７／Ｙｅｓ）、ステップＳ１０１へ進み制御部６は着脱式カバーの取り付けを再び監視する。
着脱式カバーの取り外しが検出されなければ（ステップＳ１０７／Ｎｏ）、制御部６は、引き続き着脱式カバーの取り外しを監視する。
【００４２】
ここでは、着脱式カバーのデコード用の接続部の数が六つの場合を具体例として挙げたが、６個に限定されるものではない。
【００４３】
このように、本実施形態に係る携帯電話端末は、ユーザが着脱式カバーを取り付けた時に、どの着脱式カバーが取り付けられたのかを制御部が判断できるため、ユーザが自らカラーテーマを設定したり、所望の二次元コードを端末読み取らせたりする必要がなく、制御部が自動的にカラーテーマを選択・設定できる。さらに、着脱式カバーの種類を数多く管理できるため、端末製造メーカ及び着脱式カバー取り付けメーカは、互いに協力することで、ユーザに数多くの着脱式カバー及びこれに対応するカラーテーマを提供できる。
【００４４】
〔第２の実施形態〕
本発明を好適に実施した第２の実施形態について説明する。
第１の実施形態にかかる携帯電話端末では、メーカが用意した着脱式カバーに対し、所定のカラーテーマが対応するため、ユーザが別のカラーテーマを適用したい場合には、着脱式カバーを取り付けて自動的にカラーテーマが適用された後で、ユーザ自身がマニュアル操作でカラーテーマを設定し直す必要がある。よって、着脱式カバーに対応していないカラーテーマを携帯電話端末に適用したい場合には、着脱式カバーを装着するたびに設定の操作を行わなければならない。
【００４５】
本実施形態にかかる携帯電話端末は、任意の着脱式カバーを取り付けた後でユーザがカラーテーマを変更した場合には、そのカラーテーマを記憶しておいて、それ以降にその着脱式カバーが取り付けられた場合には、記憶させたカラーテーマを自動的に適用させる。これにより、着脱式カバーに対応していないカラーテーマを携帯電話端末に適用したい場合でも、一度設定してしまえば、その後の設定操作が不要となり、ユーザの利便性が向上する。
【００４６】
本実施形態にかかる携帯電話端末のハードウェア構成は、第１の実施形態と同様である。図１２に、本実施形態に係る携帯電話端末のカラーテーマリストを示す。本実施形態においては、カラーテーマリストは互いに関連づけられた二つのテーブル（第１テーブル及び第２のテーブル）で構成される。
【００４７】
例として、着脱式カバー検出部１２において“３２”とデコードされる着脱式カバー（以下、３２番の着脱式カバーともいう）を携帯電話端末に取り付ける場合について説明する。この着脱式カバーが始めて装着された際には、第１テーブルにおいて“３２”に対応するカラーテーマは“ｎｕｌｌ”となっているため、制御部６はカラーテーマを自動的には設定せず、どのカラーテーマを適用するかの問い合わせメッセージを表示部６に表示させる。制御部６は、キー入力部９を介して行われたユーザ入力操作に応じてカラーテーマを設定し、そのカラーテーマをカラーテーマリストに登録する。例えば、ユーザがＮｏ．３５の“Ｍａｔｔ  Ｂｌａｃｋ”を指定する操作を行った場合には、カラーテーマをマットブラックにするとともに、第１テーブルの“３２”の欄に“３５”を登録する。
【００４８】
これ以降に３２番の着脱式カバーが装着された場合には、制御部６は、第１テーブルの“３２”の欄に登録されている“３５”という数字に基づいて、第２テーブルの“３５”の欄にある“Ｍａｔｔ  Ｂｌａｃｋ”という設定を呼び出して適用する。
【００４９】
ここでは、初期状態ではデコードされた番号に対応するカラーテーマが第１テーブルに登録されていない場合を例としたが、デコードされた番号に対応するカラーテーマが第１テーブルに登録されている場合には、着脱式カバーを装着した際には初期状態で登録されているカラーテーマが適用され、ユーザがマニュアル操作でカラーテーマを変更した際に、第１テーブルの着脱式カバーのデコード値に対応する値が更新される。
【００５０】
なお、任意の着脱式カバーに任意の番号を割り当てるためには、着脱式カバーの接続部の先端部を全て二段の凸形状としておき、ユーザが所望の番号に対応するように接続部の先端を除去して単段とすればよい。
【００５１】
本実施形態にかかる携帯電話端末は、ある着脱式カバーに予め関連づけられていたカラーテーマと異なるカラーテーマを設定した場合には、変更後のカラーテーマが着脱式カバーと関連づけられて保存されるため、その着脱式カバーを再装着した場合に、ユーザがマニュアル操作でカラーテーマを変更する必要がない。
【００５２】
〔第３の実施形態〕
本発明を好適に実施した第３の実施形態について説明する。本実施形態にかかる携帯電話端末のハードウェア構成は、第１の実施形態と同様である。
複数の地域（国々）で携帯電話端末を販売する場合、携帯電話端末メーカは、同じ種類の携帯電話端末であっても、電話会社ごとに設定内容を変更して出荷することが考えられる。例えば、ＧＳＭの場合は、サービスを実施する周波数設定や各国に応じた言語選択設定、ネットワーク設定、電話会社から提供されるコンテンツの保護など各電話会社に応じた設定が存在する（この設定を以下、初期設定という）。これらの各電話会社の設定内容がＲＯＭ５に保存されている。
【００５３】
着脱式カバーが六つのデコード用の接続部を備える場合、６４通りの電話会社に対応できる。着脱式カバーは、各電話会社に応じた色、デザインを用意することが好ましい。ただし、ユーザがどの電話会社用であるかを識別できさえすれば良く、必ずしも電話会社ごとに色やデザインが異なっていなくても良い。例えば、着脱式カバーの装着時に露出しない部分に、電話会社名を表示させておいても良い。制御部６は、どの電話会社に対応した着脱式カバーが装着されたのかを判断できるため、電話会社専用の着脱式カバーを装着することにより、その電話会社に対応した初期設定をＲＯＭ５から読み出して、携帯電話端末に適用できる。
【００５４】
図１３に、装着された着脱式カバーに応じて携帯電話端末の初期設定を変更する動作の流れを示す。
この動作は、大まかに言うと、着脱式カバーが取り付けられた際に、初期設定がされたことがあるか否かを確認し、一度も初期設定がなされていなければ、即設定を反映させる。そして、現在初期設定が反映されている着脱式カバーが付け直されたことを検出しても、初期設定は行わないようにし、別の電話会社の着脱式カバーが装着された場合には、その電話会社の初期設定内容をＲＯＭ５から読み出して設定するものである。
【００５５】
着脱式カバーの装着を検出する動作（ステップＳ２０１〜Ｓ２０３）は、第１の実施形態に係る携帯電話端末のステップＳ１０１〜Ｓ１０３の動作と同様である。
【００５６】
制御部６は、登録履歴を確認する（ステップＳ２０４）。登録履歴は、一度も初期設定がされていないか、既に初期設定が行われているかを管理するための情報である。
登録履歴がない場合は（ステップＳ２０４／Ｎｏ）、登録履歴を登録する（ステップＳ２０７）。図１４（ａ）に示すように、登録履歴リストにおいて登録履歴が存在しない場合、制御部６は、図１４（ｂ）に示すように初期設定リストのＮｏ．５の欄に“１”を入力する。そして、制御部６は、図１５に示すような電話会社リストを参照して、ステップＳ２０３においてデコードした番号（ここでは“５”）に対応する初期設定をＲＯＭ５から読み出し、携帯電話端末の設定として反映させる（ステップＳ２０８）。
【００５７】
登録履歴がある場合は（ステップＳ２０４／Ｙｅｓ）、登録履歴のＮｏ．がデコード値と一致するか否かを確認する（ステップＳ２０５）。登録履歴のＮｏ．がデコード値と一致する場合には（ステップＳ２０５／Ｙｅｓ）、現在初期設定を反映させている着脱式カバーの再装着であり、初期設定を行う必要はないため、ステップＳ２０９へ進み着脱式カバーの取り外しを監視する。
登録履歴のＮｏ．とデコード値とが一致しない場合には（ステップＳ２０５／Ｎｏ）、現在初期設定が反映されている着脱式カバーとは異なる着脱式カバー（別の電話会社用の着脱カバー）が装着されたこととなるため、登録履歴リストのデコード値に対応する欄に“１”を入力し、それまで“１”であったＮｏ．の欄をクリアして“ｎｕｌｌ”とする（ステップＳ２０７）。そして、初期設定リストで“１”が入力されているＮｏ．に対応する初期設定をＲＯＭ５から読み出し、携帯電話端末の設定として反映させる（ステップＳ２０８）。
【００５８】
初期設定が不要な場合（ステップＳ２０５／Ｙｅｓ）、又は初期設定が完了した場合（ステップＳ２０８）には、制御部６は着脱式カバーの取り外しを監視する（ステップＳ２０９）。着脱式カバーの取り外しを検出したら（ステップＳ２０９／Ｙｅｓ）、ステップＳ２０１へ進み制御部６は再び着脱式カバーの装着を監視する。
【００５９】
このように、電話会社専用の着脱式カバーを取り付けることによってその電話会社の初期設定が呼び出され、設定される仕様とすることで、携帯電話端末製造メーカは、出荷先の電話会社用の初期設定を工場で行う必要が無くなる。
また、携帯端末を購入する際に、複数の電話事業者のうちいずれと契約するかを選択して購入することが可能な場合には、通常、販売店は、Ａ社向け、Ｂ社向けといった初期設定済みの商品を在庫として保有する必要がある。しかし、本実施形態にかかる携帯電話端末は、店頭でのカスタマイズ（各電話会社に応じた色、デザインを用意した場合には外観を含めて）が可能であるため、販売店は電話会社ごとに在庫を抱える必要がなくなり、在庫数を減らすことが可能となる。
【００６０】
なお、上記各実施形態は本発明の好適な実施の一例であり、本発明はこれに限定されることはない。
例えば、上記各実施形態においては、折り畳み型の携帯電話端末を例として説明したが、携帯電話端末は折り畳み型に限定されることはない。
さらに、上記第１、第２の実施形態は、携帯電話端末に限らず、携帯端末一般に適用可能である。
また、上記第３の実施形態は、携帯電話端末の初期設定に限定されることはなく、携帯端末の任意の機能設定に適用することも可能である。
このように、本発明は様々な変形が可能である。
【図面の簡単な説明】
【００６１】
【図１】本発明を好適に実施した第１の実施形態にかかる携帯電話端末の構成を示す図である。
【図２】携帯電話端末、着脱式カバー及び着脱式カバーが装着された携帯電話端末の外観を示す図である。
【図３】着脱式カバー側の接続部の構成を示す図である。
【図４】携帯電話端末側の接続部の構成を示す図である。
【図５】二段の凸形状の着脱式カバーの接続部と携帯電話端末の接続部とを拡大して示す図である。
【図６】単段の凸形状の着脱式カバーの接続部と携帯電話端末の接続部とを拡大して示す。
【図７】二段の凸形状の着脱式カバーの接続部と携帯電話端末の接続部とを嵌合させた状態を示す図である。
【図８】単段の凸形状の着脱式カバーの接続部と携帯電話端末の接続部とを嵌合させた状態を示す図である。
【図９】各接続部と制御部との電気的な接続状態を示す図である。
【図１０】カラーテーマリストの一例を示す図である。
【図１１】第１の実施形態にかかる携帯電話端末の動作の流れを示すフローチャートである。
【図１２】本発明を好適に実施した第２の実施形態にかかる携帯電話端末のカラーテーマリストの一例を示す図である。
【図１３】第３の実施形態にかかる携帯電話端末の動作の流れを示すフローチャートである。
【図１４】登録履歴リストの一例を示す図である。
【図１５】電話会社リストの一例を示す図である。
【符号の説明】
【００６２】
１    アンテナ
２    無線部
４    ＲＡＭ
５    ＲＯＭ
６    制御部
７    表示駆動部
８    表示部
９    キー入力部
１０    スピーカ
１１    マイク
１２    着脱式カバー検出部
１３    押しボタン式スイッチ
【図１】
2008085806.tif 000003
【図２】
2008085806.tif 000004
【図３】
2008085806.tif 000005
【図４】
2008085806.tif 000006
【図５】
2008085806.tif 000007
【図６】
2008085806.tif 000008
【図７】
2008085806.tif 000009
【図８】
2008085806.tif 000010
【図９】
2008085806.tif 000011
【図１０】
2008085806.tif 000012
【図１１】
2008085806.tif 000013
【図１２】
2008085806.tif 000014
【図１３】
2008085806.tif 000015
【図１４】
2008085806.tif 000016
【図１５】
2008085806.tif 000017